(57)【要約】      （修正有）【課題】耐水形／非耐水形の仕様を切り替え可能であり、且つ、耐水形の仕様とした場合に転てつ機ケース内部の水蒸気を排出可能な転てつ機を実現する技術を提供する。【解決手段】転てつ機１は、転てつ機ケース２０の短手方向の一側面に貫通孔が形成され、その貫通孔に自動復帰機能を有するバルブを内蔵したプラグ２４が嵌め込まれている。プラグ２４には、防水透湿フィルタが設けられた通気用ソケット部材と、圧力計が設けられた圧力計測ソケット部材と、が着脱可能である。【選択図】図１
2019183453.tif 000002
【特許請求の範囲】
【請求項１】
閉塞することで転てつ機ケース内が気密状態となる貫通孔と、
所定の接続形状を有するソケット部材を着脱可能な前記貫通孔に設けられたプラグであって、前記ソケット部材が取り付けられた場合に前記貫通孔の通流を開放し、前記ソケット部材が取り外された場合に前記貫通孔の通流を自動的に遮断する自動切替式の開放弁を有するプラグと、
を備え、
前記プラグに前記ソケット部材を取り付けない密閉状態と、
前記ソケット部材の１つである防水透湿フィルタを有する通気用ソケット部材を前記プラグに取り付けた通気状態と、
に状態変更可能な転てつ機。
【請求項２】
前記転てつ機は、前記密閉状態と前記通気状態の他に、前記ソケット部材の１つである圧力計を有する給排気可能構造の圧力計測ソケット部材を前記プラグに取り付けた圧力計測状態、に状態変更可能な請求項１に記載の転てつ機。
【請求項３】
前記転てつ機は、平面視において、前記転てつ機ケースの長手方向がレールに沿った方向となるように配置され、
前記貫通孔は、平面視において、前記転てつ機ケースの短手方向の一側面に、前記短手方向に位置が異なる２箇所に設けられ、
前記２箇所の貫通孔それぞれに前記プラグが設けられた、
請求項１又は２に記載の転てつ機。
【請求項４】
請求項３に記載の転てつ機の検査方法であって、
前記２箇所のプラグの両方に前記ソケット部材を取り付けない前記密閉状態の場合には、前記レールから遠い方のプラグに対して、前記ソケット部材の１つである圧力計を有する給排気可能構造の圧力計測ソケット部材を取り付けて圧力計測状態とし、当該プラグからの給気圧に基づいて密閉状態を検査し、
前記２箇所のプラグの両方に前記通気用ソケット部材を取り付けた前記通気状態の場合には、一方のプラグに取り付けられている前記通気用ソケット部材を前記圧力計測ソケット部材に取り替えて前記圧力計測状態とした上で、当該一方のプラグからの給気圧に基づいて他方のプラグに取り付けられた前記通気用ソケット部材の前記防水透湿フィルタの目詰まりを検査する、
検査方法。
【発明の詳細な説明】
【技術分野】
【０００１】
本発明は、転てつ機等に関する。
【背景技術】
【０００２】
例えば地下鉄などの転てつ機の水没の可能性がある環境では、転てつ機ケースを密閉構造として外部からの水の侵入を防止した耐水形の転てつ機が用いられる（例えば、特許文献１参照）。
【先行技術文献】
【特許文献】
【０００３】
【特許文献１】特開昭５９−１２８０４４号公報
【発明の概要】
【発明が解決しようとする課題】
【０００４】
ところで、耐水形の転てつ機には、転てつ機ケースを密閉構造としていることから、結露によって転てつ機ケース内の部品にさびが生じるといった問題があった。つまり、転てつ機ケースと動作かんとの間に防水構造を施していたとしても、パッキンの劣化やシール材の経年劣化などによって、動作かんに付着した僅かな水分が転てつ機ケースの内部に侵入し、これが原因となって転てつ機ケース内部に結露が生じることがある。
【０００５】
また、耐水形の転てつ機について説明したが、耐水機能を要さない環境では非耐水形の転てつ機が設置される。従って、設置する場所に応じて耐水形の転てつ機を設置するか、非耐水形の転てつ機を設置するかが異なり、両仕様を切り替え可能な転てつ機は存在しなかった。
【０００６】
本発明は、上記事情に鑑みてなされたものであり、その目的とするところは、耐水形／非耐水形の仕様を切り替え可能であり、且つ、耐水形の仕様とした場合に転てつ機ケース内部の水蒸気を排出可能な転てつ機を実現する技術を提供すること、である。
【課題を解決するための手段】
【０００７】
上記課題を解決するための第１の発明は、
閉塞することで転てつ機ケース内が気密状態となる貫通孔と、
所定の接続形状を有するソケット部材を着脱可能な前記貫通孔に設けられたプラグであって、前記ソケット部材が取り付けられた場合に前記貫通孔の通流を開放し、前記ソケット部材が取り外された場合に前記貫通孔の通流を自動的に遮断する自動切替式の開放弁を有するプラグと、
を備え、
前記プラグに前記ソケット部材を取り付けない密閉状態と、
前記ソケット部材の１つである防水透湿フィルタを有する通気用ソケット部材を前記プラグに取り付けた通気状態と、
に状態変更可能な転てつ機である。
【０００８】
第１の発明によれば、貫通孔が閉塞されることで転てつ機ケース内が気密状態となる当該貫通孔に、着脱可能なソケット部材が取り付けられた場合に貫通孔の通流を開放し、ソケット部材が取り外された場合に貫通孔の通流を自動的に遮断する自動切替式の開放弁を有するプラグが設けられる。従って、ソケット部材を取り付けなければ耐水形となる。また、通気用ソケット部材を取り付けた場合には、水を通さず水蒸気を通す通気状態となるため、転てつ機ケース内部の水蒸気を排出可能な開放形の仕様にすることが可能である。更に、プラグへの通気用ソケット部材の取り付け／取り外しといった容易な作業で、耐水形と開放形との切り替えが可能である。
【０００９】
第２の発明は、第１の発明の転てつ機であって、
前記転てつ機は、前記密閉状態と前記通気状態の他に、前記ソケット部材の１つである圧力計を有する給排気可能構造の圧力計測ソケット部材を前記プラグに取り付けた圧力計測状態、に状態変更可能な転てつ機である。
【００１０】
第２の発明によれば、プラグに圧力計測ソケット部材を取り付けることで、転てつ機ケース内の空気圧を計測することができるので、例えば転てつ機ケースの気密構造が保たれているかを検査できる。
【００１１】
第３の発明は、第１又は第２の発明の転てつ機であって、
前記転てつ機は、平面視において、前記転てつ機ケースの長手方向がレールに沿った方向となるように配置され、
前記貫通孔は、平面視において、前記転てつ機ケースの短手方向の一側面に、前記短手方向に位置が異なる２箇所に設けられ、
前記２箇所の貫通孔それぞれに前記プラグが設けられた、転てつ機である。
【００１２】
第３の発明によれば、レールに対してどちら側に転てつ機が配置される場合であっても、レールに近い方と遠い方の２箇所にプラグが設けられている。そのため、例えば、保守作業の際に、安全な方や作業をし易い方であるレールから遠い方の位置に設けられたプラグに通気用ソケット部材の取り付け／取り外しを行うことで、耐水形と開放形との切り替えを、安全且つ容易に実現することができる。
【００１３】
第４の発明は、
第３の発明の転てつ機の検査方法であって、
前記２箇所のプラグの両方に前記ソケット部材を取り付けない前記密閉状態の場合には、前記レールから遠い方のプラグに対して、前記ソケット部材の１つである圧力計を有する給排気可能構造の圧力計測ソケット部材を取り付けて圧力計測状態とし、当該プラグからの給気圧に基づいて密閉状態を検査し、
前記２箇所のプラグの両方に前記通気用ソケット部材を取り付けた前記通気状態の場合には、一方のプラグに取り付けられている前記通気用ソケット部材を前記圧力計測ソケット部材に取り替えて前記圧力計測状態とした上で、当該一方のプラグからの給気圧に基づいて他方のプラグに取り付けられた前記通気用ソケット部材の前記防水透湿フィルタの目詰まりを検査する、
検査方法である。
【００１４】
第４の発明によれば、両方のプラグにソケット部材が取り付けられていない密閉状態とされ、耐水形の仕様となっている転てつ機に対して、レールに対してどちら側に転てつ機が配置される場合であっても、安全な方や作業をし易い方であるレールから遠い方の位置に設けられたプラグに圧力計測ソケット部材を取り付けることで、密閉状態の検査がし易くなる。また、両方のプラグに通気用ソケット部材が取り付けられて通気状態とされ、開放形の仕様となっている転てつ機に対して、それぞれの通気用ソケット部材の防水透湿フィルタの目詰まりを検査することができる。
【図面の簡単な説明】
【００１５】
【図１】転てつ機の構成例。
【図２】プラグとこれに装着されるソケット部材との説明図。
【図３】プラグが取り得る状態の説明図。
【図４】耐水形の仕様の転てつ機に対する検査方法の説明図。
【図５】開放形の仕様の転てつ機に対する検査方法の説明図。
【発明を実施するための形態】
【００１６】
以下、図面を参照して本発明の好適な実施形態について説明する。なお、以下に説明する実施形態によって本発明が限定されるものではなく、本発明を適用可能な形態が以下の実施形態に限定されるものでもない。また、図面の記載において、同一要素には同一符号を付す。
【００１７】
［構成］
図１は、本実施形態の転てつ機１の構成例を示す上面図である。図１に示すように、本実施形態の転てつ機１は、電気転てつ機であり、上面視において略長方形状でなる転てつ機ケース２０の短手方向の一方の外側面（図１では、左側の外側面）に設けられたモータ１０と、転てつ機ケース２０の長手方向の外側面を短手方向に貫通して設けられた動作かん１２と、を備える。また、転てつ機ケース２０の内部には、不図示であるが、回路制御器や制御リレー、外部端子盤等の電気系統部品、減速機構部や転換機構部等の機械系統部品、が設けられている。電源や外部装置（例えば、連動装置等）との信号に必要なケーブル類は外部端子盤に集約された後、ケーブル束１４として転てつ機ケース２０の短手方向の他方の外側面（図１では、右側の外側面）から引き出される。
【００１８】
モータ１０は、転てつ機ケース２０の側面を貫通して、転てつ機ケース２０の内部に設けられた減速機構部に接続されている。モータ１０で発生された回転動力は、減速機構部で適切なトルクに変換されて転換機構部に伝達される。転換機構部は、減速機構部で減速された回転動力を、動作かん１２の直動運動に変換する。転てつ機１は、平面視において転てつ機ケース２０の長手方向がレールに沿った方向になるように配置されており、動作かん１２の直動運動によって、その先に接続されたトングレールが定位／反位に転換される。
【００１９】
また、転てつ機ケース２０と動作かん１２との間は防水構造となっている。つまり、転てつ機ケース２０の長手方向に沿った側面に形成された動作かん１２の挿通孔の外周部に沿って、外からの水の浸入を防止するともに、直動運動する動作かん１２の表面に付着した水分等を拭い取るためのワイパー部材が設けられている。このワイパー部材は、合成ゴムなどの弾性樹脂の薄板材・シート材などによって実現される。
【００２０】
また、転てつ機ケース２０の短手方向のうち、モータ１０が設けられた側と反対側（図１では、右側の外側面）には２箇所の貫通孔が形成され、貫通孔のそれぞれにプラグ２４が嵌め込まれている。この２箇所の貫通孔を閉塞することで、転てつ機ケース２０は内部が気密状態となるように構成されている。
【００２１】
図２は、プラグ２４と、これに着脱されるソケット部材３０とでなるカプリングの説明図である。プラグ２４は、自動切替式の開放弁である自動復帰機能を有するバルブ２６を内蔵している。バルブ２６には所定のバネ構造によりプラグ２４内から突出する方向へ常時一定の付勢力が付勢されており、プラグ２４にソケット部材３０が取り付けられた場合にソケット部材３０が当接してバルブ２６が押し込まれることで、プラグ２４が嵌め込まれた貫通孔２２の通流が開放され、ソケット部材３０が取り外された場合には、バルブ２６が自動復帰して貫通孔２２の通流が自動的に遮断されるようになっている。
【００２２】
本実施形態では、ソケット部材３０として、通気用ソケット部材３０Ａと、圧力計測ソケット部材３０Ｂとが、プラグ２４に着脱可能となっている。通気用ソケット部材３０Ａは、プラグ２４の取り付け側とは逆側に、防水透湿フィルタ３２が設けられている。防水透湿フィルタ３２は、粉塵や液体を遮断するが水蒸気を通す防水透湿性を有する延伸多孔質素材で実現される。圧力計測ソケット部材３０Ｂは、プラグ２４の取り付け側とは逆側に、圧力計３４が設けられている。圧力計３４には、給排気用のクランプインバルブ３６が取り付けられており、このクランプインバルブ３６を開くことで給排気可能な構造となっている。
【００２３】
プラグ２４は、ソケット部材３０の取り付け有無によって、図３に示す３種類の状態に変更可能である。図３は、プラグ２４がとり得る状態を示す模式図である。図３（ａ）は、プラグ２４にソケット部材３０を取り付けない密閉状態である。密閉状態では、ソケット部材３０が取り付けられていないことによってプラグ２４のバルブ２６が復帰し、貫通孔２２の通流が遮断される。つまり、転てつ機ケース２０の内部が気密状態に保たれており、いわば従来の耐水形の転てつ機と同様の仕様となっている。
【００２４】
図３（ｂ）は、プラグ２４に通気用ソケット部材３０Ａを取り付けた通気状態である。通気状態では、ソケット部材３０が取り付けられたことによって、貫通孔２２の通流が開放されているが、通気用ソケット部材３０Ａの防水透湿フィルタ３２によって、液体（水など）は遮断されて空気（水蒸気など）のみの通流が可能な状態である。つまり、転てつ機ケース２０の内部への水の侵入は防止されているが、内部の水蒸気を外部に逃がすことは可能な、開放形の転てつ機となっている。
【００２５】
図３（ｃ）は、プラグ２４に圧力計測ソケット部材３０Ｂを取り付けた圧力計測状態である。圧力計測状態では、ソケット部材３０が取り付けられたことによって、貫通孔２２の通流が開放されており、圧力計３４によって、転てつ機ケース２０の内部の空気圧を計測可能な状態である。クランプインバルブ３６（図２参照）に給気チューブ等が接続されて給気されることで、転てつ機ケース２０内の空気圧を測定することができる。
【００２６】
このようなプラグ２４へのソケット部材３０の取り付け有無によって、転てつ機の形態を、耐水形或いは開放形に容易に変更可能である。すなわち、図３（ａ）に示すような耐水形の転てつ機に対して、プラグ２４に通気用ソケット部材３０Ａを取り付けて図３（ｂ）の通気状態とすることで、開放形の転てつ機に変更することができる。また逆に、図３（ｂ）に示すような開放形の転てつ機に対して、プラグ２４に取り付けられている通気用ソケット部材３０Ａを取り外して図３（ａ）の密閉状態とすることで、耐水形の転てつ機に変更することができる。
【００２７】
また、開放形／耐水形の何れの転てつ機に対しても、圧力計測ソケット部材３０Ｂを用いた、転てつ機ケース２０内の空気圧の測定（圧力測定）を行うことができる。すなわち、図３（ａ）に示すような耐水形の転てつ機に対して、プラグ２４に圧力計測ソケット部材３０Ｂを取り付けて図３（ｃ）の圧力計測状態とすることで、圧力測定を行うことができる。また、図３（ｂ）に示すような開放形の転てつ機に対して、プラグ２４に取り付けられている通気用ソケット部材３０Ａを取り外し、替わりに、圧力計測ソケット部材３０Ｂを取り付けて図３（ｃ）の圧力計測状態とすることで、圧力測定を行うことができる。この圧力測定によって、転てつ機ケース２０内の気密が保たれているかを検査することができる。
【００２８】
本実施形態の転てつ機１としては、短手方向の一側面に２つの貫通孔２２を設けて、それぞれにプラグ２４を設ける構成を採用することも可能である。この場合、通常時の使用形態として２つの形態を取り得る。１つ目は、図４の上側に示すように、２つのプラグ２４（２４ａ，２４ｂ）の何れにもソケット部材３０を取り付けない気密状態として、耐水形の転てつ機として使用する形態である。２つ目は、図５の上側に示すように、２つのプラグ２４（２４ａ，２４ｂ）のそれぞれに通気用ソケット部材３０Ａを取り付けた通気状態として、開放形の転てつ機として使用する形態である。プラグ２４への通気用ソケット部材３０Ａの取り付け有無によって、この２つの形態を容易に変更可能である。
【００２９】
なお、通気状態として、通気用ソケット部材３０Ａは、２つのプラグ２４（２４ａ，２４ｂ）のうち、どちらか一方にのみ取り付けることも可能である。この場合、レールに遠いほうのプラグ２４ａに通気用ソケット部材３０Ａを取り付けることが好適である。転てつ機ケース２０に２つの貫通孔２２を設けることにより、レールに対してどちら側に転てつ機１が配置される場合であっても、レールに近い方と遠い方の２箇所にプラグ２４が設けられている状態となる。そのため、レールから遠いほうのプラグ２４ａに通気用ソケット部材３０Ａを取り付けることで、通気用ソケット部材３０Ａの取り付け作業及び交換作業を、安全且つ容易に行うことができる。
【００３０】
そして、転てつ機ケース２０の内の圧力測定を行う際には、２つのプラグ２４のうち、一方のプラグ２４に圧力計測ソケット部材３０Ｂを取り付けて圧力計測状態として、圧力測定を行う。すなわち、図４に示すように、耐水形の転てつ機として使用している場合には、レールから遠いほうのプラグ２４ａに圧力計測ソケット部材３０Ｂを取り付けて圧力計測状態とする。そして、圧力計測ソケット部材３０Ｂのクランプインバルブ３６から給気し、圧力計３４によって転てつ機ケース２０内の圧力を計測する。耐水形の転てつ機として使用している場合、転てつ機ケース２０内の密閉状態が保たれているかを検査することができる。パッキンの劣化やシール材の経年劣化などによって空気が外部に漏れていると、計測される空気圧が一定以下の値を示すことになる。圧力測定が終了した場合には、プラグ２４ａから圧力計測ソケット部材３０Ｂを取り外すことで、元の状態となる。レールから遠いほうのプラグ２４ａに圧力計測ソケット部材３０Ｂを取り付けるようにすることで、密閉状態が保たれているかの検査の作業が安全且つし易くなる。
【００３１】
また、図５に示すように、２つのプラグ２４（２４ａ，２４ｂ）のそれぞれに通気用ソケット部材３０Ａを取り付けて開放形の転てつ機として使用している場合には、一方のプラグ２４（図５では、レールから遠いほうのプラグ２４ａ）に取り付けられている通気用ソケット部材３０Ａを取り外し、これに替えて、圧力計測ソケット部材３０Ｂを取り付けて圧力計測状態とする。そして、圧力計測ソケット部材３０Ｂのクランプインバルブ３６から給気し、圧力計３４によって転てつ機ケース２０内の圧力を計測する。開放形の転てつ機として使用している場合には、他方のプラグ２４（図５では、レールに近いほうのプラグ２４ｂ）に取り付けられている通気用ソケット部材３０Ａの防水透湿フィルタ３２の目詰まりを検査することができる。防水透湿フィルタ３２が目詰まりしていると、通気が妨げられるため、計測される空気圧が一定以上の値を示すこととなる。圧力測定が終了した場合には、プラグ２４から圧力計測ソケット部材３０Ｂを取り外した後、通気用ソケット部材３０Ａを取り付けることで、元の状態となる。このように、プラグ２４に通気用ソケット部材３０Ａを取り付けた状態で、防水透湿フィルタ３２の目詰まりを検査することが可能となる。なお、図５とは逆に、他方のプラグ２４ｂに取り付けられている通気用ソケット部材３０Ａを圧力計測ソケット部材３０Ｂに取り替えることで、一方のプラグ２４ａに取り付けられている通気用ソケット部材３０Ａの目詰まりの検査を行うこともできる。
【００３２】
［作用効果］
このように、本実施形態の転てつ機１によれば、プラグ２４への各種ソケット部材３０の着脱といった簡易な操作で、転てつ機ケース２０内を密閉状態とした耐水形と、転てつ機ケース２０の内部への水の侵入は防止するが内部の水蒸気を外部に逃がすことは可能な通気状態とした開放形と、に切り替えることができる。また、圧力計測ソケット部材３０Ｂをプラグ２４に取り付けた圧力計測状態とすることで、転てつ機ケース２０の内部の空気圧を計測することもできる。
【００３３】
なお、本発明の適用可能な実施形態は上述の実施形態に限定されることなく、本発明の趣旨を逸脱しない範囲で適宜変更可能なのは勿論である。
【００３４】
例えば、図１に示した転てつ機１では、短手方向の一側面に設けた２つの貫通孔２２それぞれにプラグ２４を設ける構成としたが、貫通孔２２を１つのみとして、１つのプラグ２４のみを設ける構成としてもよい。
【符号の説明】
【００３５】
１…転てつ機
１０…モータ、１２…動作かん、１４…ケーブル束
２０…転てつ機ケース
２２…貫通孔、２４…プラグ、２６…バルブ
３０…ソケット部材
３０Ａ…通気用ソケット部材、３２…防水透湿フィルタ
３０Ｂ…圧力計測ソケット部材、３４…圧力計、３６…クランプインバルブ
【図１】
2019183453.tif 000003
【図２】
2019183453.tif 000004
【図３】
2019183453.tif 000005
【図４】
2019183453.tif 000006
【図５】
2019183453.tif 000007